【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】情報処理装置及びその制御方法、撮像装置及びその制御方法、並びにコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】  撮像装置と通信可能に接続される情報処理装置であって、
前記撮像装置から取得した画像情報を表示する表示手段と、
前記撮像装置のモードが撮影モードか再生モードのいずれのモードであるかを示すモード情報を取得するモード取得手段と、
前記モード取得手段により取得したモード情報に基づいて、前記表示手段の表示形態を制御する制御手段と
を備えることを特徴とする情報処理装置。
【請求項２】  前記制御手段は、前記表示手段での表示形態を前記撮像装置での表示形態に対応させることを特徴とする請求項１に記載の情報処理装置。
【請求項３】  前記撮像装置に対する動作指示を入力するための操作手段を備え、
前記制御手段は、前記操作手段により入力された動作指示を前記撮像装置へ与えることを特徴とする請求項１に記載の情報処理装置。
【請求項４】  前記撮像装置が接続されたことを検出すると共に、前記撮像装置のモード情報を自動的に取得する通信手段を更に備えることを特徴とする請求項１に記載の情報処理装置。
【請求項５】  前記制御手段は、前記通信手段を介して前記撮像装置の動作制御を行なうことを特徴とする請求項４に記載の情報処理装置。
【請求項６】  前記制御手段は、前記撮像装置のモードの切り替えに応じて、前記表示手段の表示形態を切り替える制御を行なうことを特徴とする請求項１に記載の情報処理装置。
【請求項７】  前記制御手段は、前記通信手段を介して、前記撮像装置のモードを切り替えると共に、そのモード切り替えに応じて、前記表示手段の表示形態を切り替える制御を行なうことを特徴とする請求項４に記載の情報処理装置。
【請求項８】  前記撮像装置の再生モードは、当該撮像装置内の画像を１枚表示するシングル再生モードと、複数の画像を表示するマルチ再生モードとを有し、
前記制御手段は、前記シングル再生モードのときには前記表示手段が前記撮像装置内の画像のうちの１枚の画像を表示するための制御と、前記マルチ再生モードのときには前記表示手段が前記撮像装置内の画像のうちの複数枚の画像を表示するための制御を実行することを特徴とする請求項１に記載の情報処理装置。
【請求項９】  前記制御手段は、前記撮像装置が撮影モードの場合、前記撮像装置から転送されてくる撮影画像を前記表示手段がリアルタイムに表示するための制御を行なうことを特徴とする請求項１に記載の情報処理装置。
【請求項１０】  前記制御手段は、前記撮像装置が前記シングル再生モード又は前記マルチ再生モードの場合、前記撮像装置に設けられた操作部での操作に基づいて、前記表示手段の表示画像を当該画像より撮影時間の古い画像又は新しい画像に切り替える制御を行なうことを特徴とする請求項８に記載の情報処理装置。
【請求項１１】  前記撮像装置の撮影モードは、画像のパノラマ合成を実行するためのパノラマ合成モードを含み、
前記制御手段は、前記撮像装置が前記パノラマ合成モードの場合、前記表示手段が前記パノラマ合成を実行するための画面を表示するように前記表示手段を制御することを特徴とする請求項１に記載の情報処理装置。
【請求項１２】  前記制御手段は、前記撮像装置の表示画像と同一の画像を表示するように前記表示手段を制御することを特徴とする請求項１に記載の情報処理装置。
【請求項１３】  前記制御手段は、前記撮像装置に設けられた操作部が操作され前記撮像装置での表示画像が切り替わった場合、その切り替わった後の画像を取得して表示するように前記表示手段を制御することを特徴とする請求項１に記載の情報処理装置。
【請求項１４】  前記制御手段は、前記表示手段にて表示される前記撮像装置の画像情報を記録するための制御を行なうことを特徴とする請求項１に記載の情報処理装置。
【請求項１５】  情報処理装置と通信可能に接続される撮像装置であって、
撮影モードと再生モードのモード切り替えを指示するためのモード切り替え指示手段と、
前記モード切り替え指示手段によりモード切り替え指示が行われた場合、前記情報処理装置の表示形態を制御するためのモード情報を送信する送信手段と
を備えることを特徴とする撮像装置。
【請求項１６】  前記モード切り替え指示手段により撮影モードへの切り替えが指示された場合、当該撮像装置のモードを撮影モードに切り替えるモード切り替え手段を備え、
前記送信手段は、撮影モードにおいて撮影指示がなされた場合、撮影動作を開始し、当該撮影された画像情報を前記情報処理装置に送信することを特徴とする請求項１５に記載の撮像装置。
【請求項１７】  撮像装置と通信可能に接続される情報処理装置の制御方法であって、
前記撮像装置から取得した画像情報を表示手段に表示する表示ステップと、
前記撮像装置のモードが撮影モードか再生モードのいずれのモードであるかを示すモード情報を取得するモード取得ステップと、
前記モード取得ステップにより取得したモード情報に基づいて、前記表示手段の表示形態を制御する制御ステップと
を備えることを特徴とする情報処理装置の制御方法。
【請求項１８】  前記制御ステップは、前記表示手段での表示形態を前記撮像装置での表示形態に対応させることを特徴とする請求項１７に記載の情報処理装置の制御方法。
【請求項１９】  前記情報処理装置は、前記撮像装置に対する動作指示を入力するための操作手段を備えており、
前記制御ステップは、前記操作手段により入力された動作指示を前記撮像装置へ与えることを特徴とする請求項１７に記載の情報処理装置の制御方法。
【請求項２０】  前記情報処理装置は、前記撮像装置が接続されたことを検出すると共に、前記撮像装置のモード情報を自動的に取得する通信手段を備えることを特徴とする請求項１７に記載の情報処理装置の制御方法。
【請求項２１】  前記制御ステップは、前記通信手段を介して前記撮像装置の動作制御を行なうことを特徴とする請求項２０に記載の情報処理装置の制御方法。
【請求項２２】  前記制御ステップは、前記撮像装置のモードの切り替えに応じて、前記表示手段の表示形態を切り替える制御を行なうことを特徴とする請求項１７に記載の情報処理装置の制御方法。
【請求項２３】  前記制御ステップは、前記通信手段を介して、前記撮像装置のモードを切り替えると共に、そのモード切り替えに応じて、前記表示手段の表示形態を切り替える制御を行なうことを特徴とする請求項２０に記載の情報処理装置の制御方法。
【請求項２４】  前記撮像装置の再生モードは、当該撮像装置内の画像を１枚表示するシングル再生モードと、複数の画像を表示するマルチ再生モードとを有し、
前記制御ステップは、前記シングル再生モードのときには前記表示手段が前記撮像装置内の画像のうちの１枚の画像を表示するための制御と、前記マルチ再生モードのときには前記表示手段が前記撮像装置内の画像のうちの複数枚の画像を表示するための制御を実行することを特徴とする請求項１７に記載の情報処理装置の制御方法。
【請求項２５】  前記制御ステップは、前記撮像装置が撮影モードの場合、前記撮像装置から転送されてくる撮影画像を前記表示手段がリアルタイムに表示するための制御を行なうことを特徴とする請求項１７に記載の情報処理装置の制御方法。
【請求項２６】  前記制御ステップは、前記撮像装置が前記シングル再生モード又は前記マルチ再生モードの場合、前記撮像装置に設けられた操作部での操作に基づいて、前記表示手段の表示画像を当該画像より撮影時間の古い画像又は新しい画像に切り替える制御を行なうことを特徴とする請求項２４に記載の情報処理装置の制御方法。
【請求項２７】  前記撮像装置の撮影モードは、画像のパノラマ合成を実行するためのパノラマ合成モードを含み、
前記制御ステップは、前記撮像装置が前記パノラマ合成モードの場合、前記表示手段が前記パノラマ合成を実行するための画面を表示するように前記表示手段を制御することを特徴とする請求項１７に記載の情報処理装置の制御方法。
【請求項２８】  前記制御ステップは、前記撮像装置の表示画像と同一の画像を表示するように前記表示手段を制御することを特徴とする請求項１７に記載の情報処理装置の制御方法。
【請求項２９】  前記制御ステップは、前記撮像装置に設けられた操作部が操作され前記撮像装置での表示画像が切り替わった場合、その切り替わった後の画像を取得して表示するように前記表示手段を制御することを特徴とする請求項１７に記載の情報処理装置の制御方法。
【請求項３０】  前記制御ステップは、前記表示手段にて表示される前記撮像装置の画像情報を記録するための制御を行なうことを特徴とする請求項１７に記載の情報処理装置の制御方法。
【請求項３１】  情報処理装置と通信可能に接続される撮像装置の制御方法であって、
撮影モードと再生モードのモード切り替えを指示するモード切り替え指示ステップと、
前記モード切り替え指示ステップによりモード切り替え指示が行われた場合、前記情報処理装置の表示形態を制御するためのモード情報を送信する送信ステップと
を備えることを特徴とする撮像装置の制御方法。
【請求項３２】  前記モード切り替え指示ステップにより撮影モードへの切り替えが指示された場合、当該撮像装置のモードを撮影モードに切り替えるモード切り替えステップを備え、
前記送信ステップは、撮影モードにおいて撮影指示がなされた場合、撮影動作を開始し、当該撮影された画像情報を前記情報処理装置に送信することを特徴とする請求項３１に記載の撮像装置の制御方法。
【請求項３３】  撮像装置と通信可能に接続される情報処理装置の制御方法をコンピュータに実行させるためのプログラムを記録したコンピュータ読み取り可能な記録媒体であって、
前記撮像装置から取得した画像情報を表示手段に表示する表示手順と、
前記撮像装置のモードが撮影モードか再生モードのいずれのモードであるかを示すモード情報を取得するモード取得手順と、
前記モード取得手順により取得したモード情報に基づいて、前記表示手段の表示形態を制御する制御手順と
をコンピュータに実行させるためのプログラムを記録したことを特徴とするコンピュータ読み取り可能な記録媒体。
【請求項３４】  情報処理装置と通信可能に接続される撮像装置の制御方法をコンピュータに実行させるためのプログラムを記録したコンピュータ読み取り可能な記録媒体であって、
撮影モードと再生モードのモード切り替えを指示するモード切り替え指示手順と、
前記モード切り替え指示手順によりモード切り替え指示が行われた場合、前記情報処理装置の表示形態を制御するためのモード情報を送信する送信手順と
をコンピュータに実行させるためのプログラムを記録したことを特徴とするコンピュータ読み取り可能な記録媒体。
【手続補正３】
【補正対象書類名】明細書
【補正対象項目名】０００４
【補正方法】変更
【補正の内容】
【０００４】
そこで、本発明は、上記の欠点を除去するために成されたもので、ディジタルカメラ等の撮像装置により撮影して得られた画像をパソコン等の情報処理装置にて容易に且つ効率的に扱うことを可能とすることを目的とする。
【手続補正４】
【補正対象書類名】明細書
【補正対象項目名】０００５
【補正方法】変更
【補正の内容】
【０００５】
【課題を解決するための手段】
本発明の情報処理装置は、撮像装置と通信可能に接続される情報処理装置であって、前記撮像装置から取得した画像情報を表示する表示手段と、前記撮像装置のモードが撮影モードか再生モードのいずれのモードであるかを示すモード情報を取得するモード取得手段と、前記モード取得手段により取得したモード情報に基づいて、前記表示手段の表示形態を制御する制御手段とを備える。
【手続補正５】
【補正対象書類名】明細書
【補正対象項目名】０００６
【補正方法】変更
【補正の内容】
【０００６】
本発明の撮像装置は、情報処理装置と通信可能に接続される撮像装置であって、撮影モードと再生モードのモード切り替えを指示するためのモード切り替え指示手段と、前記モード切り替え指示手段によりモード切り替え指示が行われた場合、前記情報処理装置の表示形態を制御するためのモード情報を送信する送信手段とを備える。
【手続補正６】
【補正対象書類名】明細書
【補正対象項目名】０００７
【補正方法】変更
【補正の内容】
【０００７】
本発明の情報処理装置の制御方法は、撮像装置と通信可能に接続される情報処理装置の制御方法であって、前記撮像装置から取得した画像情報を表示手段に表示する表示ステップと、前記撮像装置のモードが撮影モードか再生モードのいずれのモードであるかを示すモード情報を取得するモード取得ステップと、前記モード取得ステップにより取得したモード情報に基づいて、前記表示手段の表示形態を制御する制御ステップとを備える。
【手続補正７】
【補正対象書類名】明細書
【補正対象項目名】０００８
【補正方法】変更
【補正の内容】
【０００８】
本発明の撮像装置の制御方法は、情報処理装置と通信可能に接続される撮像装置の制御方法であって、撮影モードと再生モードのモード切り替えを指示するモード切り替え指示ステップと、前記モード切り替え指示ステップによりモード切り替え指示が行われた場合、前記情報処理装置の表示形態を制御するためのモード情報を送信する送信ステップとを備える。
【手続補正８】
【補正対象書類名】明細書
【補正対象項目名】０００９
【補正方法】変更
【補正の内容】
【０００９】
本発明のコンピュータ読み取り可能な記録媒体は、撮像装置と通信可能に接続される情報処理装置の制御方法をコンピュータに実行させるためのプログラムを記録したコンピュータ読み取り可能な記録媒体であって、前記撮像装置から取得した画像情報を表示手段に表示する表示手順と、前記撮像装置のモードが撮影モードか再生モードのいずれのモードであるかを示すモード情報を取得するモード取得手順と、前記モード取得手順により取得したモード情報に基づいて、前記表示手段の表示形態を制御する制御手順とをコンピュータに実行させるためのプログラムを記録する。
本発明のコンピュータ読み取り可能な記録媒体における他の態様は、情報処理装置と通信可能に接続される撮像装置の制御方法をコンピュータに実行させるためのプログラムを記録したコンピュータ読み取り可能な記録媒体であって、撮影モードと再生モードのモード切り替えを指示するモード切り替え指示手順と、前記モード切り替え指示手順によりモード切り替え指示が行われた場合、前記情報処理装置の表示形態を制御するためのモード情報を送信する送信手順とをコンピュータに実行させるためのプログラムを記録する。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】
【手続補正３３】
【補正対象書類名】明細書
【補正対象項目名】００３４
【補正方法】削除
【補正の内容】
【手続補正３４】
【補正対象書類名】明細書
【補正対象項目名】００３５
【補正方法】削除
【補正の内容】
【手続補正３５】
【補正対象書類名】明細書
【補正対象項目名】００３６
【補正方法】削除
【補正の内容】
【手続補正３６】
【補正対象書類名】明細書
【補正対象項目名】００３７
【補正方法】削除
【補正の内容】
【手続補正３７】
【補正対象書類名】明細書
【補正対象項目名】００３８
【補正方法】削除
【補正の内容】
【手続補正３８】
【補正対象書類名】明細書
【補正対象項目名】００３９
【補正方法】削除
【補正の内容】
【手続補正３９】
【補正対象書類名】明細書
【補正対象項目名】００４０
【補正方法】削除
【補正の内容】